(57)【要約】【課題】再配信装置から表示装置へデジタル放送データを再配信する通信線の伝送帯域が不足するような状況になった時でも、ユーザーのテレビ視聴を極力妨げないように、再配信すべき放送データを絞り込むことができるデータ再配信装置を提供する。【解決手段】再配信装置は、再配信装置が受信したデジタル放送データをデータ放送に用いられるデータ１と、それ以外のデータ２に分離し、データ１にデータ１の番組構成識別情報１を付加し、データ２にデータ２の番組識別情報２を付加し、データ２をデータ１より優先的に放送データを表示する表示装置に対して送信することを特徴とする。【選択図】図１
2010239194.tif 000002
【特許請求の範囲】
【請求項１】
受信したデジタル放送データを、データ放送に用いられる第１のデータと前記第１のデータ以外の第２のデータに分離し、前記第２のデータを前記第１のデータより優先的に送信することを特徴とした再配信装置。
【請求項２】
前記第１のデータには、前記再配信装置が受信したデジタル放送データに付加されていた番組構成識別情報と同じ番組識別情報1が付加されており、前記第２のデータには、前記番組識別情報１からデータ放送に用いられるデータを示すパケット情報を除いた番組識別情報２が付加されていることを特徴とする請求項１に記載の再配信装置。
【請求項３】
第１のデータを送信する際の前記再配信装置からデータを受信し表示する表示装置と前記再配信装置との通信線の帯域により、第１のデータの送信を中断、あるいは、第１のデータの送信を遅延させるように優先的に第２のデータを送信することを特徴とする請求項１または請求項２に記載の再配信装置。
【請求項４】
再配信装置からデータ放送に用いられる第１のデータと前記第１のデータ以外の第２のデータを受信し表示する表示装置であって、
前記第１のデータに付加されている前記再配信装置が受信したデジタル放送データに付加されていた番組構成識別情報と同じ番組識別情報１と、前記第２のデータに付加されている前記番組識別情報１からデータ放送に用いられるデータを示すパケット情報を除いた番組識別情報２を比較し、
前記番組識別情報１と前記番組識別情報２の各々のデータ放送に用いられるデータを示すパケット情報以外のデータが異なっていた場合に、前記番組識別情報１の異なっていたデータを前記番組識別情報２の対応するデータで置き換えた番組識別情報３を作成し、前記番組識別情報３により、データ放送番組画面を作成し表示することを特徴とする表示装置。
【発明の詳細な説明】
【技術分野】
【０００１】
本発明は、受信したデジタル放送データを、データ放送のデータと動画音声ストリームのデータに分離し、再配信する再配信装置、及び、再配信されたデータを受信し表示する表示装置の技術に関する。
【背景技術】
【０００２】
チューナユニットでデジタル放送を一旦受信し、無線で、表示ユニットに受信した放送データを再配信する装置が既に商品化されている。このような装置は、チューナユニットと表示ユニットを分離することで、表示ユニットを薄型化でき、無線接続とすることで、アンテナケーブルを表示ユニットに直接に接続しなくて済み、表示ユニットの設置自由度が高いという特徴がある。
【０００３】
前記装置は、例えば、壁掛テレビとして、専用チューナユニットと専用表示ユニットの組合せで成り立っており、無線接続は両ユニット間のデータ伝送のための専用回線として設計されている。また、両ユニットの設置距離も短いために、放送データを再配信するのに伝送帯域が不足するような事態を想定する必要が無い。
【０００４】
一方、前述の無線接続に無線ＬＡＮを活用したいというニーズがある。これは、表示装置に無線ＬＡＮ対応のノートブック型パーソナルコンピュータを活用できれば、チューナユニットを有しないノートブック型パーソナルコンピュータが、設置自由度の高いテレビ装置としても機能させることができるからである。再配信装置として、例えば、無線ＬＡＮルーターに接続可能なチューナユニットが提供され、前述のパーソナルコンピュータに、テレビ放送視聴用のソフトウェアがインストールされれば、テレビ機能が実現できる。
【０００５】
なお、特許文献１には、本発明の関連技術分野におけるデータ放送を含むデジタル放送の再配信に関わる技術が開示されている。
【０００６】
【特許文献１】特開２００２−８４５１３
【発明の開示】
【発明が解決しようとする課題】
【０００７】
ところで、放送データを再配信するのに無線ＬＡＮを用いると、状況によっては、表示装置に対して再配信すべき放送データを伝送するのに必要な帯域が不足してしまうという事態が発生するという問題がある。この問題は、配信すべきデータが配信できない、あるいは、配信すべきデータが到着すべきタイミングより遅延して到着しまうことにつながり、結局、表示装置に表示すべき画面が表示できないという現象を引き起こす。
【０００８】
帯域不足が起こるのは、例えば、無線ＬＡＮに接続されている別のコンピュータ装置にデータが伝送されていると、そのために帯域が割かれ、残りの帯域が相対的に小さくなるからである。また、無線ＬＡＮ対応のノートブック型パーソナルコンピュータは、簡単に設置場所を変えられるというメリットがあるが故に、設置場所によっては、通常のインターネット接続は問題なく行えるが、伝送帯域を必要とする放送データの再配信を行うには、帯域が不足してしまうというような事態も発生する。具体的には、無線ＬＡＮルーターとパーソナルコンピュータとが離れた位置や、両者間に遮蔽物があるような位置に設置された場合に帯域不足になりやすい。
【０００９】
そこで、本発明は、再配信装置から表示装置へデジタル放送データを再配信する通信線の伝送帯域が不足するような状況になった時でも、ユーザーのテレビ視聴を極力妨げないように、再配信すべき放送データを絞り込むこと、あるいは、データの遅延による問題発生を防止することができるデータ再配信装置及びデータ表示装置を提供することを目的とする。
【課題を解決するための手段】
【００１０】
本発明の第１の再配信装置は、受信したデジタル放送データを、データ放送に用いられる第１のデータと前記第１のデータ以外の第２のデータに分離し、前記第２のデータを前記第１のデータより優先的に送信することを特徴とする。
【００１１】
本発明の第２の再配信装置は、前記第１のデータには、前記再配信装置が受信したデジタル放送データに付加されていた番組構成識別情報と同じ番組識別情報1が付加されており、前記第２のデータには、前記番組識別情報１からデータ放送に用いられるデータを示すパケット情報を除いた番組識別情報２が付加されていることを特徴とする。
【００１２】
本発明の第３の再配信装置は、第１のデータを送信する際の前記再配信装置からデータを受信し表示する表示装置と前記再配信装置との通信線の帯域により、第１のデータの送信を中断、あるいは、第１のデータの送信を遅延させるように優先的に第２のデータを送信することを特徴とする。
【００１３】
本発明の表示装置は、再配信装置からデータ放送に用いられる第１のデータと前記第１のデータ以外の第２のデータを受信し表示する表示装置であって、前記第１のデータに付加されている前記再配信装置が受信したデジタル放送データに付加されていた番組構成識別情報と同じ番組識別情報1と、前記第２のデータに付加されている前記番組識別情報１からデータ放送に用いられるデータを示すパケット情報を除いた番組識別情報２を比較し、
前記番組識別情報１と前記番組識別情報２の各々のデータ放送に用いられるデータを示すパケット情報以外のデータが異なっていた場合に、前記番組識別情報１の異なっていたデータを前記番組識別情報２の対応するデータで置き換えた番組識別情報３を作成し、前記番組識別情報３により、データ放送番組画面を作成し表示することを特徴とする。
【発明の効果】
【００１４】
本発明によれば、再配信装置から表示装置へデジタル放送データを再配信する通信線の伝送帯域が不足するような状況になった時でも、ユーザーのテレビ視聴を極力妨げないように、再配信すべき放送データを絞り込むこと、あるいは、データの遅延による問題発生を防止することが可能なデータ再配信装置及びデータ表示装置を提供することができる。
【図面の簡単な説明】
【００１５】
【図１】本発明の実施の形態の再配信装置と表示装置が用いられるシステムを説明するためのシステム図である。
【図２】本発明の実施の形態の再配信装置を説明するためのブロック図である。
【図３】本発明の実施の形態の表示装置を説明するためのブロック図である。
【図４】本発明の実施の形態の再配信装置と表示装置との処理フローを説明するための処理フロー図である。
【図５】本発明の実施の形態の再配信装置と表示装置が取り扱うＰＭＴ情報の一例である。
【発明を実施するための最良の形態】
【００１６】
以下、図面を参照して本発明を実施するための最良の形態について説明する。図１は、本発明の実施の形態の再配信装置と表示装置が用いられるシステムを説明するためのシステム図である。
【００１７】
図１を参照すると、再配信装置１は、デジタル地上波用アンテナとＢＳデジタル放送アンテナによって受信された放送電波を内部で処理し、ワイヤレスＬＡＮルーター３を介し、無線回線４で、表示装置２に放送を再配信する装置である。表示装置２は、ワイヤレスＬＡＮ機能を有しているノート型パーソナルコンピュータである。パーソナルコンピュータには、放送を表示し視聴するためのテレビ放送視聴用のプログラムがインストールされている。ユーザーはパーソナルコンピュータの入力部と前記プログラムによって、チャンネルを選択したり、あるいは、データ放送番組を選択したりすることが可能である。
【００１８】
次に、図２を用いて、本発明の実施の形態の再配信装置１の構成について説明する。再配信装置１は、放送波を受信しチャンネル選局するデジタル放送受信部１０１と、デジタル放送受信部１０１から伝送されたＭＰＥＧ２-ＴＴＳ（タイムスタンプ付きＭＰＥＧ２−ＴＳ）を二つに分離するデジタル放送データ分離部１１と、分離された各々のデータを一部加工する本放送ＴＳ加工部１２とデータ放送ＥＳ加工部１３、及び、送受信部１０２を有す。
【００１９】
デジタル放送分離部１１には、ＭＰＥＧ２-ＴＴＳの番組構成データ識別情報であるＰＭＴ（Program Map Table）を解析するデータ解析部１４と解析情報を基に二種類のＰＭＴを作成し、各々を本放送ＴＳ加工部１２とデータ放送ＥＳ加工部１３に伝送する番組構成データ識別情報作成部１５が接続されている。送受信部１０２とデータ放送ＥＳ加工部１３の間にはデータ放送ＥＳの送信バッファ１８があり、送信バッファ１８を介することで送信データ制御部１７によりデータ放送ＥＳの送信が制御される。また、送信データ制御部１７は、接続されている帯域監視部１６からの情報により送信バッファ１８を介しデータ放送ＥＳの送信を制御する。
【００２０】
帯域監視部１６は、既存の技術であるＲＴＴ（Round Trip Time）などを用いて送受信部１０２から目的とするデータ配信先までの通信帯域がどの程度確保されているかを確認することができる。送信データ制御部１７は、所定の帯域が得られている場合は、送信バッファ１８にデータを溜めず、データをそのまま通過させるように制御する。所定の帯域が得られていなければ、送信データ制御部１７は、送信バッファ１８にデータを一旦溜めることで、データ送信を遅延させるように制御する。さらに前記所定の帯域より著しく、通信帯域が狭まった時には、送信データ制御部１７は、送信バッファ１８に入ってくるデータを送受信部１０２から送信するのを中止する。
【００２１】
再配信装置１は、デジタル放送チューナ内蔵のパーソナルコンピュータと捉えることも可能で、その場合は、デジタル放送受信部１０１はデジタル放送チューナカード、送受信部１０２はＬＡＮ接続部で、１１から１７の各部は、パーソナルコンピュータのＣＰＵとそれによって実行されるプログラムから構成される。なお、プログラムが記憶されるＲＯＭ、ＣＰＵ、及びプログラムが一時展開されるＲＡＭなどは、不図示である。
【００２２】
次に図３を用いて、本発明の実施の形態の表示装置２の構成について説明する。表示装置２は、再配信装置１から配信された二種類の放送データを受信する送受信部２０と、各々のデータを分離処理する本放送ＴＳ分離処理部２２とデータ放送ＥＳ分離処置部２３を有し。さらに、分離処理された各データを基に、出力部２１に出力する出力情報を作成、及び出力制御する出力制御部２５を有す。出力制御部２５は、本放送情報を作成する本放送出力情報作成部２６とデータ放送画面を作成するデータ放送画面作成部２７を有している。また、本放送ＴＳ分離処理部２２とデータ放送ＥＳ分離処理部２３と出力情報制御部２５には、本放送ＴＳとデータ放送ＥＳに各々付属する二種類のＰＭＴを取得し、比較および管理する番組構成データ管理部２４が接続されている。
【００２３】
出力部２１は表示パネルおよびスピーカで、送受信部２０はＬＡＮ受信部である。ＬＡＮ受信部は、本放送ＴＳとデータ放送ＥＳをまとめて受信するが、再配信装置が送信する際にデータごとにポート番号を振り分けるので、ＬＡＮ受信部は簡単に本放送ＴＳとデータ放送ＥＳを区分けすることがきる。本放送出力情報作成部２６は、オーディオデコーダ機能やビデオデコーダ機能を有している。データ放送画面作成部２７はＢＭＬブラウザである。表示装置２も、再配信装置２と同様に、パーソナルコンピュータとして構成することが可能である。
【００２４】
図５は、再配信装置１と表示装置２が取り扱う番組構成データ識別情報であるＰＭＴの例である。ＰＭＴのＡはオーディオを、Ｖはビジュアル、Ｄはデータ放送用のデータを各々、示し、Ｃ−Ｔａｇはコンポーネントタグを示している。各Ａ、Ｖ、Ｄのデータパケットが全データ中のどのデータパケットかを示すのが、それに対応した各ＰＩＤ番号になる。つまり、表示装置２に、画面や音声を出力するためには、表示装置２はＰＭＴ参照し、ＰＩＤを取得して、出力情報として必要なＴＳパケットを取得し、データ処理することで、表示装置２に番組を表示する。
【００２５】
デジタル放送には、データ放送ＰＭＴ５５やデータ放送ＰＭＴ５６で示されるＰＭＴが付加されている。従って、デジタル放送受信部１０１が受信するデジタル放送データにはこういったＰＭＴが付加されている。なお、本願で本放送と言うのは、データ放送を除いた放送データのことである。簡単な理解としては、本放送とは、通常のチャンネルを選択した時に見ることができる動画音声番組のことである。それに対して、データ放送は、静止画を中心に構成される番組である。データ放送は、それ自体が独立した番組であることもあるし、本放送の動画音声の付加情報を提示するためのサブ番組的な位置づけのものもある。データ放送の表示には、ＰＭＴの中のＤのＣ−Ｔａｇに対応したＰＩＤ番号で示されるデータパケットが必要となる。
【００２６】
一般には、視聴者は、本放送番組を見ることが圧倒的に多く、データ放送を視聴する割合は総じて低い。本発明では、この点から、帯域不足に陥った時には、まず、相対的に視聴される割合が低いデータ放送のデータ放送ＥＳの伝送を制限することを前提としている。
すなわち、帯域不足に陥った時に、本放送とデータ放送を一体に取り扱っていると、視聴者が見る割合が高い本放送まで見られなくなってしまうことを、データ放送の視聴を制限することで、この問題を回避するわけである。
【００２７】
本放送とデータ放送を一体で取り扱う場合には、データ放送ＰＭＴ５５や５６のような１種類のＰＭＴで良い。しかし、本願では、再配信装置１は、２種類にデータを分離し、表示装置２に再配信することが必要なので、図５で示されるように本放送ＰＭＴ５１とデータ放送ＰＭＴ５５の２種類が必要になる。本放送ＴＳには、Ｄに対応するデータが不用なので、ＶとＡに対応するＰＩＤが記述されたＰＭＴ５１で良い。ＰＭＴ５１は、再配信装置１のデジタル放送受信部１０１が受信したＭＰＥＧ２−ＴＴＳに付加されていた元のＰＭＴからＰＭＴ５３で示されたＰＭＴデータを切り離したものである。
【００２８】
これに対して、データ放送ＰＭＴは、ＶとＡとＤに対応したＰＩＤがそれぞれ記述されたものである。これは、データ放送が、前述したサブ番組的な位置づけの番組の場合、本放送画面を小画面的に表示し、それと合わせてデータ放送画面を構成するように表示することもあるので、ＶとＡのＰＩＤ情報も必要なためである。そのため、ＰＭＴ５５は、元のＰＭＴと同一になる。
【００２９】
さらに図５を用いて、ＰＭＴの到着遅延とその対処方法について説明する。図５は、時間軸に対して本放送ＰＭＴとデータ放送ＰＭＴが到着したタイミングを示している。
【００３０】
本放送ＴＳは、データ放送ＥＳより優先して再配信されている。対してデータＥＳは前述の通り、帯域が不足した場合、再配信を制限するように制御される。簡単に言えば、データＥＳは、帯域が完全に不足し、送信できなければ送信を中止し、帯域不足に陥りがちな時には、送信を遅延させて送るように制御されている。
【００３１】
図５の遅延例は、帯域が不足に陥りがちな時に、再配信装置1が表示装置２への送信を遅延させた結果、データ放送ＥＳが本放送ＴＳに比較して、表示装置２への到着が遅延した例である。そうすると、それに付加されたＰＭＴも遅延して到着する。
図５において、データ放送ＥＳ受信遅延時間と示した部分が、データ放送ＰＭＴが遅延して到着する時間を示している。
【００３２】
表示装置２が番組構成データ管理部２４によりＰＭＴを確認したタイミングが、本放送ＰＭＴがＰＭＴ５１からＰＭＴ５２にちょうど切り替わった時とする。この時、番組構成データ管理部２４は、本放送ＰＭＴとして、最新のＰＭＴ５２を取得できるが、データ放送ＰＭＴとしては、本放送ＰＭＴ５２に対応するはずのデータ放送ＰＭＴ５６の到着が遅延しているために、一つ前のデータ放送ＰＭＴ５５しか取得できない。
【００３３】
そのため、表示装置２のデータ放送画面作成部２７が、このタイミングで前述のサブ番組的なデータ放送番組を表示しようとすると、データ放送ＰＭＴ５５に示されたＶとＡのデータに対して、本放送出力情報作成部２６が作成に用いているＶとＡのデータは本放送ＰＭＴ５２に示されたＶとＡのデータであるので、両者が違ってしまい、表示エラーとなってしまう。
【００３４】
本発明では、この問題を回避するために、データ放送画面作成部２７は、合成ＰＭＴ５０のようなＰＭＴ情報を用いることで、この遅延が発生している時の、データ放送画面構成を行う。こうすることで、データ放送画面作成部２７は、そのタイミングで取得されたＶとＡのデータを基に本放送出力情報作成部２６によって作成された本放送画面と、遅延して届いているＤのデータを基に作成されたデータ放送画面を一体に構成するようなデータ放送番組の作成も可能になる。
【００３５】
合成ＰＭＴは、番組構成データ管理部２４がデータ放送ＰＭＴのＶとＡのＰＩＤと本放送ＰＭＴのＶとＡのＰＩＤを比較し、違っている場合は、データ放送ＰＭＴのＶとＡのＰＩＤを本放送ＰＭＴのＰＩＤに置き換えるように作成される。つまり、合成ＰＭＴ５０は、本放送ＰＭＴ５２の５４に示された情報とデータ放送ＰＭＴ５５の５７に示された情報とで合成されることになる。
【００３６】
図４を参照し、再配信装置１と表示装置２との処理フローを説明する。まず、再配信装置１は、データ放送受信部１０１により、放送データを受信する（ステップＳ１）。
【００３７】
表示装置２は、再配信装置１に対し配信を要求する（ステップＳ２）。例えば、表示装置２のユーザーが番組視聴ソフトウェアを起動し、特定のチャンネルの番組配信を指示したことに相当する。
【００３８】
再配信装置１では、デジタル放送データ分離部１１が、データ放送受信部１０１から受信したＭＰＥＧ２−ＴＴＳデータを、データ解析部１４と連動し、本放送ＴＳとデータ放送ＥＳに分離する（ステップＳ３）。
【００３９】
データ解析部１４は、デジタル放送データ分離部１１によって分離されたデータを解析し、ＭＰＥＧ２−ＴＴＳデータからＰＭＴ情報を抽出する。抽出したデータを基に、番組構成データ識別情報作成部１５は、図５で示される本放送ＰＭＴとデータ放送ＰＭＴを作成する（ステップＳ４）。具体的には、本放送ＰＭＴはＭＰＥＧ２−ＴＴＳデータから抽出されたＰＭＴ情報のＤのＰＩＤ情報を切り離したもので、データ放送ＰＭＴは、ＭＰＥＧ２−ＴＴＳデータから抽出されたＰＭＴ情報をコピーしたものである。
【００４０】
本放送ＴＳ加工部１２とデータ放送ＥＳ加工部１３は、番組構成データ識別情報作成部１５から受信した本放送ＰＭＴとデータ放送ＰＭＴを、デジタル放送受信部１０１が受信したＭＰＥＧ２−ＴＴＳに付加されていた元のＰＭＴに代替するように本放送ＴＳとデータ放送ＥＳを各々作成する（ステップＳ５）。
【００４１】
送受信部１０２は、本放送ＴＳ加工部１２で作成された本放送ＴＳを受信し、表示装置２に向け送信を行う（ステップＳ６）。
【００４２】
帯域監視部１６と送信データ制御部１７と送信バッファ１８は連動し、データ放送ＥＳの送信制御を実行する（ステップＳ７）。具体的には、本放送ＴＳが再配信されている時の帯域を確認し、帯域が十分であれば、データ放送ＥＳを送受信部１０２に受け渡し、帯域がやや不十分であれば、送信バッファ１８を用いて、データ放送ＥＳを送受信部１０２に受け渡すのを遅延させる。帯域が全く不十分である場合は、データ放送ＥＳを送受信部１０２に受け渡すのを中止する。帯域による送信制御は、例えば、閾値1と、閾値１より大きな閾値２を予め決め、帯域が、閾値１以下の場合はデータ放送ＥＳの送信を中止し、閾値２以下で閾値１より大きい場合に、データ放送ＥＳの送信を遅延させるようにすれば良い。ここでは、帯域が閾値２以下で閾値１を超える場合が、帯域がやや不十分な状態に相当する。
【００４３】
送受信部１０２は、送信バッファ１８などによって送信制御されたデータ放送ＥＳ加工部１３で作成されたデータ放送ＥＳを受信し、表示装置２に向け送信を行う（ステップＳ８）。
表示装置２が受信した本放送ＴＳとデータ放送ＴＳは本放送ＴＳ分離処理部２２とデータ放送分離処理部２３に送信され、各処理部が処理したデータに対して、番組構成データ管理部２４は、ＰＭＴ情報を抽出し、本放送ＰＭＴとデータ放送ＰＭＴの比較行う（ステップＳ９）。
【００４４】
さらに番組構成データ管理部２４は、出力情報制御部２５の要求に基づいて、前記比較結果から出力情報作成に必要なＰＭＴ情報を出力制御部２５に受け渡す（ステップＳ１０）。具体的には図５に示すように、番組構成データ管理部２４は、データ放送ＥＳが遅延して到着している場合、各ＰＭＴから必要情報を選択取得し、合成ＰＭＴを作成し、出力制御部２５にそれを受け渡す。
【００４５】
出力制御情報制御部２５は、番組構成データ管理部２４から取得したＰＭＴ情報に基づき、本放送ＴＳ分離処理部２２とデータ放送分離処理部２３から出力すべき番組に必要なデータを取得する（ステップＳ１１）。
【００４６】
本放送出力情報作成部２６とデータ放送画面作成部２７は、受信したデータを基に出力画面を作成する（ステップ１２）。例えば、動画音声の本放送とデータ放送画面データとが併せて表示されるようなデータ放送番組の場合には、データ放送画面作成部２７は本放送情報作成部２６と連動し、動画音声の本放送を小画面化し、データ放送データと一体化させて表示画面を作成する。
【００４７】
作成された表示画面や音声は出力部２１を通じて再生される（ステップ１３）。
【００４８】
以上の処理により、再配信装置から表示装置へデジタル放送データを再配信する通信線の伝送帯域が不足するような状況になった時でも、ユーザーのテレビ視聴を極力妨げないようにすることができる。
【００４９】
本発明によれば、視聴者であるユーザーは、再配信する通信線の伝送帯域が帯域不足に陥った時に、同一チャンネルで流されているデータ放送の視聴を我慢することができれば、本放送だけは視聴できるようになる。
【００５０】
これは、視聴者の視聴実態を考慮すれば、データ放送視聴と比較すれば、本放送を視聴する割合が圧倒的に多いので、ユーザーの利便性に叶うものである。また、わずかに帯域不足になるケースでは、データ放送のデータを遅延させることで、本放送もデータ放送も視聴することを可能とさせた。
【符号の説明】
【００５１】
１  再配信装置
２  表示装置
３  ワイヤレスＬＡＮルーター
１１  デジタル放送データ分離部
１２  本放送ＴＳ加工部
１３  データ放送ＥＳ加工部
１４  データ解析部
１５  番組構成データ識別情報作成部
１６  帯域監視部
１７  送信データ制御部
１８  送信バッファ
１０１  デジタル放送受信部
１０２  送受信部
２０  送受信部
２１  出力部
２２  本放送ＴＳ分離処理部
２３  データ放送ＥＳ分離処理部
２４  番組構成データ管理部
２５  出力情報制御部
２６  本放送出力情報作成部
２７  データ放送画面作成部
５１  本放送ＰＭＴ
５５  データ放送ＰＭＴ
５０  合成ＰＭＴ
【図１】
2010239194.tif 000003
【図２】
2010239194.tif 000004
【図３】
2010239194.tif 000005
【図４】
2010239194.tif 000006
【図５】
2010239194.tif 000007